(57)【要約】      （修正有）【課題】溶融炉の酸素洗浄に伴って経時的に短くなる酸素供給用パイプの長さを十分的確に把握することが可能な測長装置を提供する。【解決手段】本発明に係る測長装置は、酸素洗浄機が有する酸素供給用パイプの長さを測定するためのものであり、先端側において酸素供給用パイプと接続される内筒１と、内筒に接続される酸素供給用パイプに向けてマイクロ波を発信する発信器５ａと、酸素供給用パイプの先端において反射して戻ってくるマイクロ波を受信する受信器と、内筒の少なくとも一部を覆うように設けられた外筒２と、外筒に設けられた酸素導入口２ｅと、内筒における外筒で覆われた部分に設けられた複数の貫通孔１ｄとを備え、酸素導入口から外筒内に導入された酸素が複数の貫通孔を介して内筒内へと供給されるように構成されている。【選択図】図１
2015172449.tif 000002
【特許請求の範囲】
【請求項１】
酸素洗浄機が有する酸素供給用パイプの長さを測定するための測長装置であって、
先端側において前記酸素供給用パイプと接続される内筒と、
前記内筒の基端側に設けられ、前記内筒に接続される前記酸素供給用パイプに向けてマイクロ波を発信する発信器と、
前記内筒の基端側に設けられ、前記内筒に接続される前記酸素供給用パイプの先端において反射して戻ってくるマイクロ波を受信する受信器と、
前記内筒の少なくとも一部を覆うように設けられた外筒と、
前記外筒に設けられた酸素導入口と、
前記内筒における前記外筒で覆われた部分に設けられた複数の貫通孔と、
を備え、
前記酸素導入口から前記外筒内に導入された酸素が前記複数の貫通孔を介して前記内筒内へと供給されるように構成されている、測長装置。
【請求項２】
前記発信器は、前記内筒の基端側開口に挿入されるエミッタを有し、
前記内筒が円筒であり且つ前記内筒の外径をＤｍｍとすると、前記複数の貫通孔は前記内筒の基端から５Ｄｍｍまでの範囲に設けられている、請求項１に記載の測長装置。
【請求項３】
前記複数の貫通孔は、マイクロ波の波長の半分以下の開孔径をそれぞれ有する、請求項１又は２に記載の測長装置。
【請求項４】
前記複数の貫通孔は、前記内筒の周方向に並んで設けられている、請求項１〜３のいずれか一項に記載の測長装置。
【請求項５】
前記複数の貫通孔は、前記内筒の延びる方向に並んで設けられている、請求項１〜４のいずれか一項に記載の測長装置。
【請求項６】
先端が溶融炉内に配置されるとともに洗浄処理時の当該炉内において先端側が消耗して経時的に短くなる酸素供給用パイプと、
前記酸素供給用パイプの基端側に設けられ、前記酸素供給用パイプの先端の開口に向けてマイクロ波を発信する発信器と、
前記酸素供給用パイプの基端側に設けられ、前記酸素供給用パイプの先端において反射して戻ってくるマイクロ波を受信する受信器と、
前記酸素供給用パイプの基端側の一部を覆うように設けられた外筒と、
前記外筒に設けられた酸素導入口と、
前記酸素供給用パイプにおける前記外筒で覆われた部分に設けられた複数の貫通孔と、
を備え、
前記酸素導入口から前記外筒内に導入された酸素が前記複数の貫通孔を介して前記酸素供給用パイプ内へと供給されるように構成されている、酸素洗浄機。
【請求項７】
前記発信器は、前記酸素供給用パイプの基端側開口に挿入されるエミッタを有し、
前記酸素供給用パイプの基端側が円筒であり且つ当該基端側の外径をＤｍｍとすると、前記複数の貫通孔は前記酸素供給用パイプの基端から５Ｄｍｍまでの範囲に設けられている、請求項６に記載の酸素洗浄機。
【請求項８】
前記複数の貫通孔は、マイクロ波の波長の半分以下の開孔径を有する、請求項６又は７に記載の酸素洗浄機。
【請求項９】
前記複数の貫通孔は、前記酸素供給用パイプの周方向に並んで設けられている、請求項６〜８のいずれか一項に記載の酸素洗浄機。
【請求項１０】
前記複数の貫通孔は、前記酸素供給用パイプの延びる方向に並んで設けられている、請求項６〜９のいずれか一項に記載の酸素洗浄機。
【発明の詳細な説明】
【技術分野】
【０００１】
本発明は、溶融炉を酸素洗浄する際に使用される酸素供給用パイプの測長装置及びかかる測長機能を有する酸素洗浄機に関する。
【背景技術】
【０００２】
廃棄物溶融炉は都市ごみなどの廃棄物を処理するための溶融炉である。廃棄物溶融炉のメンテナンスの一つとして、酸素による洗浄処理がある。廃棄物溶融炉の出湯口から溶融スラグを排出させた後、炉内に溜まった残留物を排出するため、酸素供給用パイプを出湯口に挿入し、このパイプを通じて炉内に酸素を供給する。酸素供給用パイプの先端を前方又は後方に移動させながら酸素を炉内に供給することで、炉内の可燃物及び酸素供給用パイプ自身の燃焼熱によって残留物を流動化させ、これを炉外へと排出する。
【０００３】
洗浄作業を効率的に行うには酸素供給用パイプの先端位置を常時的確に把握し、所望の位置に酸素を供給することが望ましい。しかし、酸素洗浄機が備える酸素供給用パイプ（鋼管）は、炉内において先端側が燃焼又は溶融によって消耗して経時的に短くなるため、その長さ、ひいてはその先端位置を把握することが困難である。酸素供給用パイプの径及び厚み並びに炉内の状況にもよるが、例えば、炉底部温度が１５００℃を超えるような高温下にあっては、５〜１０分の洗浄作業の間にパイプの長さが３〜５ｍも短くなる場合がある。
【０００４】
洗浄作業中、作業者は酸素供給用パイプの先端位置を肉眼で確認することができない。このため、例えば、パイプがかなり短くなっていると作業者が予想したものの、その予想に反してパイプがさほど消耗しておらず、長さが維持されている場合もある。この場合、パイプを先方に押し出し過ぎるとパイプの先端が炉壁に衝突し、これによって炉壁が損傷するおそれがある。
【０００５】
特許文献１は、マイクロ波を利用してパイプ長さを測定するパイプ測長装置を備えた酸素洗浄装置を開示する。特許文献１に係る装置は、パイプの一端から他端（炉内のパイプ先端）に向けてマイクロ波を発信するとともに、パイプ先端において反射して戻ってくるマイクロ波を受信することによってパイプ先端までの長さを求めんとするものである（特許文献１段落［００１０］参照）。
【先行技術文献】
【特許文献】
【０００６】
【特許文献１】特開２００４−６１１０４号公報
【発明の概要】
【発明が解決しようとする課題】
【０００７】
ところで、特許文献１に記載の酸素洗浄装置は、図７（ａ）に示すように、パイプ２５の途中に酸素供給口２５ｆを有する。本発明者らは、パイプ２５の途中に酸素入口２５ｆがあると、これに起因してマイクロ波の強い反射波が発生することがあり、本来、測定すべきパイプ先端２５ｂからの反射波を十分な強度で検出できない場合があることを見出した（図７（ｂ）参照）。
【０００８】
そこで、本発明は、溶融炉の酸素洗浄に伴って経時的に短くなる酸素供給用パイプの長さを十分的確に把握することが可能な測長装置及びかかる測長機能を有する酸素洗浄機を提供することを目的とする。
【課題を解決するための手段】
【０００９】
本発明に係る測長装置は、酸素洗浄機が有する酸素供給用パイプの長さを測定するためのものであり、先端側において酸素供給用パイプと接続される内筒と、内筒の基端側に設けられ、内筒に接続される酸素供給用パイプに向けてマイクロ波を発信する発信器と、内筒の基端側に設けられ、内筒に接続される酸素供給用パイプの先端において反射して戻ってくるマイクロ波を受信する受信器と、内筒の少なくとも一部を覆うように設けられた外筒と、外筒に設けられた酸素導入口と、内筒における外筒で覆われた部分に設けられた複数の貫通孔とを備え、酸素導入口から外筒内に導入された酸素が複数の貫通孔を介して内筒内へと供給されるように構成されている。
【００１０】
上記測長装置は、内筒と外筒とによって構成される二重管構造を有する。これにより、まず、酸素導入口を通じて外筒に酸素が導入され、その後、複数の貫通孔を通じて内筒に酸素が導入される。酸素は内筒に接続された酸素供給用パイプ内に導入され、このパイプの先端から溶融炉内に供給される。かかる構成を採用したことにより、酸素を内筒内に導入するための機構（複数の貫通孔及びこれを覆う外筒）におけるマイクロ波の反射又は散乱を十分に抑制でき、本来、測定すべき酸素供給用パイプの先端からの反射波を受信器において十分な強度で検出することができる。
【００１１】
本発明は、測長機能を有する酸素洗浄機を提供する。すなわち、本発明に係る酸素洗浄機は、先端が溶融炉内に配置されるとともに洗浄処理時の当該炉内において先端側が消耗して経時的に短くなる酸素供給用パイプと、酸素供給用パイプの基端側に設けられ、パイプの先端の開口に向けてマイクロ波を発信する発信器と、酸素供給用パイプの基端側に設けられ、酸素供給用パイプの先端において反射して戻ってくるマイクロ波を受信する受信器と、酸素供給用パイプの基端側の一部を覆うように設けられた外筒と、外筒に設けられた酸素導入口と、酸素供給用パイプにおける外筒で覆われた部分に設けられた複数の貫通孔とを備え、酸素導入口から外筒内に導入された酸素が複数の貫通孔を介して酸素供給用パイプ内へと供給されるように構成されている。
【００１２】
上記酸素洗浄機は、酸素供給用パイプの基端側と外筒とによって構成される二重管構造を有する。これにより、まず、酸素導入口を通じて外筒に酸素が導入され、その後、複数の貫通孔を通じて酸素供給用パイプに酸素が導入される。酸素は酸素供給用パイプの先端から廃棄物溶融炉内に供給される。かかる構成を採用したことにより、酸素を酸素供給用パイプに導入するための機構（複数の貫通孔及びこれを覆う外筒）におけるマイクロ波の反射又は散乱を十分に抑制でき、本来、測定すべき酸素供給用パイプの先端からの反射波を受信器において十分な強度で検出することができる。
【００１３】
本発明において、発信器は内筒（上記酸素洗浄機にあっては酸素供給用パイプ）の基端側開口に挿入されるエミッタを有するものを採用することができる。内筒（上記酸素洗浄機にあっては酸素供給用パイプの基端側）が円筒であり且つその外径をＤｍｍとした場合、複数の貫通孔は内筒（上記酸素洗浄機にあっては酸素供給用パイプ）の基端から５Ｄｍｍまでの範囲に設けられていることが好ましい。複数の貫通孔をなるべく基端側に設けることで、複数の貫通孔に起因するマイクロ波の反射又は散乱をより確実に抑制できる。
【００１４】
複数の貫通孔は、マイクロ波の波長の半分以下の開孔径をそれぞれ有することが好ましい。かかる構成を採用することにより、マイクロ波が当該複数の貫通孔から外筒に漏えいするのを十分に抑制できる。なお、複数の貫通孔の形状は円形に限定されず、楕円形や矩形であってもよい。貫通孔の形状が円形ではない場合、開孔径は相当直径を意味する。貫通孔の相当直径Ｒは下記式（１）によって算出される値である。
【数１】
2015172449.tif 000003
式中、Ｓは貫通孔の開口面積（ｍ２）を示し、Ｌは貫通孔の縁の全長（ｍ）を示す。なお、内筒（上記酸素洗浄機にあっては酸素供給用パイプ）の内面と外面との間で貫通孔の寸法が変化している場合には最も小さい値をＬとする。
【００１５】
複数の貫通孔は、内筒（上記酸素洗浄機にあっては酸素供給用パイプ）の周方向に並んで設けられていてもよく、あるいは、内筒（上記酸素洗浄機にあっては酸素供給用パイプ）の延びる方向に並んで設けられていてもよい。更に、複数の貫通孔は、内筒（上記酸素洗浄機にあっては酸素供給用パイプ）の周方向及びその延びる方向に並んで設けられていてもよい。かかる構成を採用することにより、酸素の流れをより均一化でき、圧力損失を十分に低減できる。
【発明の効果】
【００１６】
本発明によれば、溶融炉の酸素洗浄に伴って経時的に短くなる酸素供給用パイプの長さを十分的確に把握することができる。
【図面の簡単な説明】
【００１７】
【図１】本発明に係る測長装置の一実施形態を模式的に示す部分断面図である。
【図２】（ａ）は図１に示す測長装置が装着された酸素洗浄機の一例を模式的に示す部分断面図であり、（ｂ）は当該測長装置によるマイクロ波の反射波強度の測定結果を模式的に示すグラフである。
【図３】内筒の構成を模式的に示す断面図である。
【図４】（ａ）は内筒の基端部を拡大して示す断面図であり、（ｂ）は内筒の長手方向に直交する方向の断面図である。
【図５】外筒の構成を模式的に示す断面図である。
【図６】本発明に係る酸素洗浄機の一実施形態を模式的に示す部分断面図である。
【図７】（ａ）は測長装置を有する従来の酸素洗浄機の一例を模式的に示す部分断面図であり、（ｂ）は当該測長装置によるマイクロ波の反射波強度の測定結果を模式的に示すグラフである。
【発明を実施するための形態】
【００１８】
以下、図面を参照しながら、本発明の実施形態について詳細に説明する。図１は本実施形態に係る測長装置を模式的に示す図である。図２の（ａ）は図１に示す測長装置１０が装着された酸素洗浄機２０を模式的に示す図であり、（ｂ）は測長装置１０によるマイクロ波の反射波強度の測定結果を模式的に示すグラフである。酸素洗浄機２０は、廃棄物溶融炉５０内に酸素を供給することによって廃棄物溶融炉５０内を洗浄するためのものである。
【００１９】
図１に示す測長装置１０は、酸素洗浄機２０が有する酸素供給用パイプ２５（図２（ａ）参照）の長さを測定し、その先端２５ｂの位置を把握するためのものである。測長装置１０は、二重管を構成する内筒１及び外筒２と、内筒１の基端１ａ側に装着されたマイクロ波距離計５とを備える。マイクロ波距離計５は、内筒１を介して酸素供給用パイプ２５に向けてマイクロ波を発信する発信機能（エミッタ５ａ）と、酸素供給用パイプ２５の先端２５ｂから反射して戻ってくるマイクロ波を受信する受信機能とを有する。マイクロ波距離計５の具体例としては、パルスレーダ式のマイクロ波距離計が挙げられる。
【００２０】
内筒１は、上述のとおり、その基端１ａ側にマイクロ波距離計５が装着され、マイクロ波を発信するエミッタ５ａが内筒１内に挿入されている。他方、内筒１の先端１ｂ側に酸素供給用パイプ２５が接続される。内筒１の先端１ｂ側に設けられたフランジ１ｃと、外筒２の先端２ｂ側のフランジ２ｄとをボルト６で固定することで、内筒１と外筒２の間を密閉できるようになっている（図２参照）。当該箇所の密閉に例えば耐圧パッキン８を使用すればよい。
【００２１】
内筒１は、図３，４に示すように、基端１ａ側に複数の貫通孔１ｄを有する。これらの貫通孔１ｄは、内筒１の外面から内面にかけて貫通している。複数の貫通孔１ｄは、酸素を内筒１内に供給するためのものである。すなわち、外筒２が有する酸素導入口２ｅから外筒２内に導入された酸素は、複数の貫通孔１ｄを通じて内筒１内へと供給される。
【００２２】
複数の貫通孔１ｄは、マイクロ波の波長の半分以下の開孔径をそれぞれ有することが好ましい。かかる構成を採用することにより、マイクロ波が複数の貫通孔１ｄから外筒２に漏れるのを十分に抑制できる。なお、複数の貫通孔１ｄの形状は円形に限定されず、楕円形や矩形であってもよい。貫通孔１ｄの形状が円形ではない場合、開孔径は上記式（１）で算出される相当直径Ｒを意味する。
【００２３】
本実施形態においては、複数の貫通孔１ｄは内筒１の長手方向に並んで設けられ（図４（ａ）参照）且つ内筒１の周方向に並んで設けられている（図４（ｂ）参照）。複数の貫通孔１ｄを規則的に配置することで、酸素の流れをより均一化でき、圧力損失を十分に低減できる。なお、本実施形態においては、内筒１に計２４個の貫通孔１ｄを設けた場合を例示したが、貫通孔１ｄの数はこれに限定されるものではない。例えば、多数の貫通孔１ｄによって内筒１の基端１ａ側が網状となっていてもよい。
【００２４】
複数の貫通孔１ｄは、内筒１の外筒２で覆われた部分に設けられており、好ましくは図１に示すとおり、なるべく基端１ａ側に設けられている。内筒１が円筒であり且つその外径をＤｍｍとした場合、複数の貫通孔１ｄは内筒１の基端１ａから５Ｄｍｍまでの範囲に設けられていることが好ましく、内筒１の基端１ａから３Ｄｍｍまでの範囲に設けられていることがより好ましい。複数の貫通孔１ｄをなるべく基端１ａ側に設けることで、複数の貫通孔１ｄに起因するマイクロ波の反射又は散乱を抑制できる。
【００２５】
内筒１の先端１ｂに酸素供給用パイプ２５がジョイント部２５ａを介して接続される（図２（ａ）参照）。酸素供給用パイプ２５としては、例えば口径値１０Ａ〜２０Ａの鋼管が使用される。なお、酸素供給用パイプ２５内においてマイクロ波が適切に伝搬するには、酸素供給用パイプ２５の口径とマイクロ波の周波数とを適切に選択すればよい。例えば、口径値１０Ａ（外径１７．３ｍｍ、内径１２．７ｍｍ）の鋼管を使用する場合、マイクロ波の周波数は９ＧＨｚ〜１８ＧＨｚに設定すればよく、口径値２０Ａ（外径２７．２ｍｍ、内径２１．６ｍｍ）の鋼管を使用する場合、マイクロ波の周波数は１２ＧＨｚ〜２５ＧＨｚに設定すればよい。
【００２６】
外筒２は、内筒１を覆うように設けられ、酸素導入口２ｅを有する。図５に示すとおり、外筒２は、基端２ａ側にフランジ２ｃを有し、フランジ２ｃと、フランジ５ｂとをボルト７で固定することで、外筒２の基端２ａ側にマイクロ波距離計５を装着できるようになっている。外筒２の先端２ｂ側のフランジ２ｄは、上述のとおり、内筒１のフランジ１ｃとボルト締めされる。
【００２７】
測長装置１０は以下のようにして使用される。すなわち、酸素導入口２ｅを通じて外筒２に酸素を導入する。外筒２内に導入された酸素は、複数の貫通孔１ｄを通じて内筒１に供給され、その後、内筒１に接続された酸素供給用パイプ２５を通じて廃棄物溶融炉５０内に供給される。廃棄物溶融炉５０内に酸素を供給すると廃棄物溶融炉５０内の可燃物及び酸素供給用パイプ２５の燃焼熱によって炉内が高温（例えば１５００℃超）となり、流動化した残留物を炉外へと排出させることができる。
【００２８】
測長装置１０によれば、消耗して経時的に短くなる酸素供給用パイプ２５の長さを適切に把握することができる。すなわち、酸素を内筒１内に導入するための機構（複数の貫通孔１ｄ及び外筒２）におけるマイクロ波の反射又は散乱を十分に抑制でき、本来、測定すべき酸素供給用パイプ２５の先端２５ｂからの反射波をマイクロ波距離計５において十分な強度で検出することができる。なお、マイクロ波距離計５で測定されたデータ（反射波の強度）はコンピュータ（図示せず）に送られ、このデータに基づいて酸素供給用パイプ２５の長さを求めることができ、これにより酸素供給用パイプ２５の先端２５ｂの位置を把握することができる。
【００２９】
これに対し、例えば図７に示すように、酸素供給用パイプ２５の途中に酸素入口２５ｆを設けた場合、この酸素入口２５ｆにおける反射波が高い強度で検出され、酸素供給用パイプ２５の先端２５ｂからの反射波の強度が不十分となり、酸素供給用パイプ２５の長さを的確に測定できない可能性がある。
【００３０】
以上、本発明の実施形態について詳細に説明したが、本発明は上記実施形態に限定されるものではない。例えば、上記実施形態においては、マイクロ波の発信器と受信器との機能を兼ね備えるマイクロ波距離計５を採用する場合を例示したが、別々に構成された発信器と受信器とを内筒１の基端１ａ側に装着してもよい。
【００３１】
更に、上記実施形態においては、内筒１の先端１ｂ側に酸素供給用パイプ２５を接続する場合を例示したが、図６に示すように、酸素供給用パイプ２５の基端側が上記実施形態における内筒１と同様の構成となっていてもよい。図６に示す貫通孔２５ｄは上記実施形態における貫通孔１ｄに相当する。外筒２の先端２ｂ側に設けられたシール機構９は、外筒２の内面と酸素供給用パイプ２５の外面との間を密閉するものである。
【符号の説明】
【００３２】
１…内筒、１ａ…内筒の基端、１ｂ…内筒の先端、１ｄ…貫通孔、２…外筒、２ａ…外筒の基端、２ｂ…外筒の先端、２ｅ…酸素導入口、５…マイクロ波距離計（発信器及び受信器）、５ａ…エミッタ（発信器）、１０…測長装置、２０…酸素洗浄機、２５…酸素供給用パイプ、２５ｂ…酸素供給用パイプの先端、２５ｄ…貫通孔、５０…廃棄物溶融炉。
【図１】
2015172449.tif 000004
【図２】
2015172449.tif 000005
【図３】
2015172449.tif 000006
【図４】
2015172449.tif 000007
【図５】
2015172449.tif 000008
【図６】
2015172449.tif 000009
【図７】
2015172449.tif 000010